(57)【要約】【課題】組み付け作業を容易にするとともに、ポンプユニットから燃料タンクに振動が伝播する事態を抑制できるポンプユニット用ブラケットを提供することである。【解決手段】大径部５１が電動モータ４３の回転径方向外側へ突出するポンプユニット４０に対して、電動モータ４３の駆動軸４３ａに沿う組付方向に組み付けられ、サブタンク３０により支持されるブラケット１００である。このブラケット１００は、電動モータ４３の回転周方向に延伸する本体部６６と、組付方向の後端部７４により大径部５１を受ける受け部７３と、本体部６６に受け部７３を接続し、本体部６６に対する受け部７３の相対変位を回転径方向において弾性変形により許容し、ポンプユニット４０からのブラケット１００の離脱により受け部７３の姿勢を、組付方向とは反対側へ向かうほど本体部６６の内周側へ傾斜する姿勢に復元させる保持部７１と、を備える。【選択図】図１
2011052586.tif 000002
【特許請求の範囲】
【請求項１】
燃料ポンプを駆動する電動機の回転径方向外側へ突出部が突出する構成のポンプユニットに対して、前記電動機の回転軸に沿う組付方向に組み付けられ、前記燃料ポンプの汲上燃料を貯留する燃料タンクにより支持されるブラケットであって、
前記電動機の回転周方向に延伸し、前記燃料タンクにより支持される本体部と、
前記組付方向の後端部により前記突出部を受ける受け部と、
前記本体部に対して前記受け部を接続し、前記本体部に対する前記受け部の相対変位を前記回転径方向において弾性変形により許容し、前記ポンプユニットからの前記ブラケットの離脱により前記受け部の姿勢を、前記組付方向とは反対側へ向かうほど前記本体部の内周側へ傾斜する姿勢に復元させる弾性部と、
を備えることを特徴とするポンプユニット用ブラケット。
【請求項２】
前記受け部は、前記ポンプユニットからの前記ブラケットの離脱により前記本体部の内周側へ傾斜する姿勢となる傾斜部と、前記組付方向とは反対側にて当該傾斜部に接続される前記後端部とを有し、
前記弾性部は、前記回転周方向において前記傾斜部に隣接して設けられ、前記組付方向の前記後端部とは反対側にて前記傾斜部と接続されることを特徴とする請求項１に記載のポンプユニット用ブラケット。
【請求項３】
前記受け部は、前記ポンプユニットへの前記ブラケットの組み付けにより、前記組付方向とは反対側へ向かうほど前記本体部の外周側へ傾斜する姿勢になり、
前記受け部とともに前記ポンプユニットを挟持する挟持部をさらに備えることを特徴とする請求項１又は２に記載のポンプユニット用ブラケット。
【請求項４】
前記挟持部は、前記ポンプユニットへの前記ブラケットの組み付けにより、前記ポンプユニットを前記組付方向へ向けて付勢する付勢部であることを特徴とする請求項３に記載のポンプユニット用ブラケット。
【請求項５】
前記後端部は、前記ポンプユニットへの前記ブラケットの組み付けにより、前記突出部の前記回転径方向に沿う面に面接触することを特徴とする請求項１〜４のいずれか一項に記載のポンプユニット用ブラケット。
【請求項６】
前記受け部は、前記回転周方向において少なくとも三箇所に設けられることを特徴とする請求項１〜５のいずれか一項に記載のポンプユニット用ブラケット。
【請求項７】
前記本体部は、前記回転周方向に環状に形成され、全ての前記受け部を前記回転周方向に連結することを特徴とする請求項６に記載のポンプユニット用ブラケット。
【請求項８】
前記受け部は、前記回転径方向においてそれぞれのばね定数が互いに実質的に同一であって、前記回転周方向において実質的に等間隔で位置することを特徴とする請求項６又は７に記載のポンプユニット用ブラケット。
【請求項９】
前記本体部は、前記ポンプユニットへの前記ブラケットの組み付けにより、前記ポンプユニットから離間したまま、前記ポンプユニットの前記回転径方向外側に位置することを特徴とする請求項１〜８のいずれか一項に記載のポンプユニット用ブラケット。
【請求項１０】
前記ポンプユニットへの前記ブラケットの組み付けにより、前記ポンプユニットに前記組付方向に沿って嵌合し、前記ブラケットに対する前記ポンプユニットの前記回転周方向への相対回転を規制する回転規制部をさらに備えることを特徴とする請求項１〜９のいずれか一項に記載のポンプユニット用ブラケット。
【請求項１１】
前記燃料タンクに形成された開口部に向けて挿入され、前記燃料タンクに支持されるブラケットであって、
挿入方向に沿って前記開口部の周縁に嵌合し、前記燃料タンクに組み付けられるブラケット支持部をさらに備えることを特徴とする請求項１〜１０のいずれか一項に記載のポンプユニット用ブラケット。
【請求項１２】
請求項１〜１１のいずれか一項に記載のポンプユニット用ブラケットと、
電動機によって駆動され燃料を汲み上げる燃料ポンプ、及び前記電動機の回転径方向外側へ突出する突出部を有するポンプユニットと、
前記燃料ポンプの汲上燃料を貯留する燃料タンクと、を備えることを特徴とする燃料供給装置。
【発明の詳細な説明】
【技術分野】
【０００１】
燃料ポンプを駆動する電動機の回転径方向外側へ突出部が突出する構成のポンプユニットに対して、電動機の回転軸に沿う組付方向に組み付けられ、燃料ポンプの汲上燃料を貯留する燃料タンクにより支持されるブラケットに関するものである。
【背景技術】
【０００２】
従来、電動機を内蔵するポンプユニットに組み付けられるブラケットに、ポンプユニットで生じる振動を減衰させる作用を付加した構成が知られている。例えば特許文献１には、中空円筒状に形成されたケース部、及びケース部と一体で成形され放射状をなす三つの支持部を備え、燃料ポンプの汲上燃料を貯留する燃料タンクであるリザーバーカップにより支持される振動減衰装置が開示されている。この特許文献１に開示の振動減衰装置では、リザーバーカップに外周側で支持された支持部が、ケース部内に圧入された円柱状のポンプユニットを支持している。この支持部による支持を弾性的に行うことで、ポンプユニットによる振動の減衰を図っている。
【先行技術文献】
【特許文献】
【０００３】
【特許文献１】特開２００８−８８８１４号公報
【発明の概要】
【発明が解決しようとする課題】
【０００４】
さて、燃料供給装置の備えるポンプユニットは、電動機によって燃料ポンプを駆動することで燃料の汲み上げを行っている。この電動機による燃料ポンプの駆動に伴ってポンプユニットから発生する振動は、主に電動機の回転軸周りの動バランスの不均衡に起因しているので、電動機の回転径方向に顕著になる。ここで、特許文献１に開示の振動減衰装置には、リザーバータンクによる支持状態下において、中空円筒状に形成されたケース部内にポンプユニットが圧入されているので、電動機の回転径方向に顕著となるポンプユニットの振動が伝播し易くなる。故に、支持部の弾性変形によって振動を許容し、ポンプユニットの振動に対して減衰作用が発揮されたとしても、振動減衰装置を介してリザーバーカップに振動が伝播される事態が生じていた。加えて、特許文献１に開示の構成では、ポンプユニットをケース部内に圧入しなければならず、組み付け作業を容易に実施できないという問題があった。
【０００５】
本発明は、上記問題点に鑑みてなされたものであって、その目的は、組み付け作業を容易にするとともに、ポンプユニットから燃料タンクに振動が伝播する事態を抑制できるポンプユニット用ブラケットを提供することである。
【課題を解決するための手段】
【０００６】
上記目的を達成するために、請求項１に記載の発明では、燃料ポンプを駆動する電動機の回転径方向外側へ突出部が突出する構成のポンプユニットに対して、電動機の回転軸に沿う組付方向に組み付けられ、燃料ポンプの汲上燃料を貯留する燃料タンクにより支持されるブラケットであって、電動機の回転周方向に延伸し、燃料タンクにより支持される本体部と、組付方向の後端部により突出部を受ける受け部と、本体部に対して受け部を接続し、本体部に対する受け部の相対変位を回転径方向において弾性変形により許容し、ポンプユニットからのブラケットの離脱により受け部の姿勢を、組付方向とは反対側へ向かうほど本体部の内周側へ傾斜する姿勢に復元させる弾性部と、を備えることを特徴とするポンプユニット用ブラケットとする。
【０００７】
この発明によれば、ポンプユニットから離脱したブラケットにおいては、弾性部の作用により、組付方向とは反対側へ向かうほど本体部の内周側へ傾斜する姿勢に、受け部の姿勢が復元されている。故に、ブラケットの受け部は、弾性部による姿勢の復元によって、電動機の回転軸に沿った組付方向の後端部を、本体部の内周側に相対変位させることができる。この構成によって、電動機の回転径方向外側へ突出するポンプユニットの突出部を後端部により受けるブラケットの受け部は、ポンプユニットに対してブラケットが組付方向に組み付けられるときに組付方向の後端部側にて突出部と接触できる。
【０００８】
ここで、電動機の回転周方向に延伸する本体部に対して受け部を接続する弾性部は、本体部に対する受け部の相対変位を電動機の回転径方向において弾性変形により許容するものである。故に、受け部と突出部との接触状態から組付方向への組み付けが継続されるときに受け部は、突出部により電動機の回転径方向外側へと押し広げられつつ嵌められる。さらに受け部は、突出部を乗り越えると、弾性部の作用により電動機の回転径方向内側へと復元されて組付方向の後端部により突出部を受けることとなる。以上によれば、ブラケットのポンプユニットへの組み付け作業は、ポンプユニットに向ってブラケットを組付方向に押し込む動作となるので、容易である。
【０００９】
こうしてポンプユニットに組み付けられたブラケットの燃料タンクによる支持状態下では、電動機の回転軸に沿う方向において受け部がポンプユニットを受けることになるので、電動機の回転径方向に顕著となるポンプユニットの振動は、ブラケットに伝播し難くなる。それと共に、本体部に対する受け部の相対変位は、電動機の回転径方向において弾性部の弾性変形により許容されるので、ポンプユニットの当該回転径方向の振動に対して減衰作用が発揮され得る。これらのことから、ポンプユニットの振動がブラケットを介して燃料タンクへと伝播される事態を、抑制できる。
【００１０】
請求項２に記載の発明では、受け部は、ポンプユニットからのブラケットの離脱により本体部の内周側へ傾斜する姿勢となる傾斜部と、組付方向とは反対側にて当該傾斜部に接続される後端部とを有し、弾性部は、回転周方向において傾斜部に隣接して設けられ、組付方向の後端部とは反対側にて傾斜部と接続されることを特徴とする。この発明によれば、受け部が突出部に嵌められるときには、組付方向の後端部とは反対側にて受け部の傾斜部と接続される弾性部が電動機の回転径方向外側へ弾性変形するので、その嵌め易さに寄与し得る。また、受け部が突出部を乗り越えて後端部が突出部を受けようとするときには、弾性部の復元作用によって傾斜部が本体部の内周側、即ち電動機の回転径方向内側へ傾いた姿勢に戻ろうとするので、組付方向とは反対側にて傾斜部に接続される後端部は確実に、突出部を受ける姿勢となり得る。さらに、組み付け後におけるブラケットの燃料タンクによる支持状態下では、電動機の回転径方向内側へ向けて姿勢の復元した傾斜部と接続される後端部は、当該回転径方向に大きく振動したポンプユニットに対して接触可能となる。この接触時において受け部は、本体部に対する相対変位を弾性部の弾性変形により許容されることになるので、ポンプユニットの大きな振動に対しても減衰作用を発揮し得る。
【００１１】
請求項３に記載の発明では、受け部は、ポンプユニットへのブラケットの組み付けにより、組付方向とは反対側へ向かうほど本体部の外周側へ傾斜する姿勢になり、受け部とともにポンプユニットを挟持する挟持部をさらに備えることを特徴とする。この発明によれば、組み付け後におけるブラケットの燃料タンクによる支持状態下では、ブラケットは、受け部を回転径方向外側に相対変位させたまま、即ち、弾性部を弾性変形させたままで、ポンプユニットに組み付いている。具体的に、受け部は、組付方向とは反対側へ向かうほど本体部の外周側へ傾斜する姿勢となる。故に、突出部は、受け部に作用する弾性部の復元力によって、組付方向とは反対側の斜め内周側に向って付勢されるとともに、当該受け部と、組付方向とは反対側の挟持部とによって挟持される。この付勢力の方向に組付方向とは反対側に向う成分が含まれることで、受け部は弾性部を予め弾性変形させたままで挟持部とともに突出部を確実に挟持できる。そして、回転径方向に大きく振動したポンプユニットが受け部と接触するときの弾性部の弾性変形量は、弾性部を予め弾性変形させておくことにより小さくなるので、ポンプユニットの大きな振動が抑えられることとなる。
【００１２】
請求項４に記載の発明では、挟持部は、ポンプユニットへのブラケットの組み付けにより、ポンプユニットを組付方向へ向けて付勢する付勢部であることを特徴とする。この発明によれば、組み付け後におけるブラケットの燃料タンクによる支持状態下では、ポンプユニットを組付方向へ向けて付勢する付勢部が、当該ポンプユニットを組付方向とは反対側に付勢する受け部とともにポンプユニットを挟持している。この形態では、受け部及び付勢部による突出部の挟持がさらに確実となることで、ポンプユニットに組み付けられたブラケットは、弾性部を弾性変形させた状態を長期に亘って維持し得る。故に、ポンプユニットの回転径方向の大きな振動に対する強い減衰作用が長期に亘って確実に発揮される。
【００１３】
請求項５に記載の発明では、後端部は、ポンプユニットへのブラケットの組み付けにより、突出部の回転径方向に沿う面に面接触することを特徴とする。この発明によれば、受け部は、後端部を突出部の回転径方向に沿う面に面接触させる構成により、ポンプユニットを受ける。この後端部と突出部の面との接触面の方向が電動機の回転径方向に沿うことで、受け部には回転径方向の振動が伝播され難くなる。
【００１４】
請求項６に記載の発明では、受け部は、回転周方向において少なくとも三箇所に設けられることを特徴とする。また、請求項７に記載の発明では、本体部は、回転周方向に環状に形成されて、全ての受け部を回転周方向に連結することを特徴とする。これらの発明では、電動機の回転周方向において少なくとも三箇所に設けられる受け部は、ぞれぞれ、突出部との接触状態から組付方向への組み付けが継続されて電動機の回転径方向外側へと押し広げられることで、ポンプユニットに対して本体部を当該回転径方向に正確に位置決めできる。
【００１５】
請求項８に記載の発明では、受け部は、回転径方向においてそれぞれのばね定数が互いに実質的に同一であって、回転周方向において実質的に等間隔で位置することを特徴とする。この発明によれば、回転径方向のばね定数が互いに同一である受け部を、少なくとも三箇所に回転周方向において実質的に等間隔で位置させることで、組み付け時におけるポンプユニットに対する本体部の回転径方向の位置決めを、さらに正確に行うことができる。
【００１６】
請求項９に記載の発明では、ポンプユニットへのブラケットの組み付けにより、本体部がポンプユニットから離間したまま当該ポンプユニットの回転径方向外側に位置する形態とすることで、当該本体部にポンプユニットから直接的に振動が伝播しない構成となる。
【００１７】
請求項１０に記載の発明では、ポンプユニットへのブラケットの組み付けにより、ポンプユニットに組付方向に沿って嵌合し、ブラケットに対するポンプユニットの回転周方向への相対回転を規制する回転規制部をさらに備えることを特徴とする。この発明によれば、回転規制部は、ポンプユニットに組付方向に沿って嵌合するので、当該ポンプユニットにブラケットを組み付ける作業の容易性は維持される。加えて、回転規制部がポンプユニットのブラケットに対する回転周方向への相対回転を規制する構成によれば、本体部に対する受け部の回転周方向への相対変位を抑制できる。故に、受け部の相対変位は回転径方向におけるものに制限されるので、当該受け部の相対変位を弾性変形により許容する弾性部によって得られる減衰作用が確実に発揮される。
【００１８】
請求項１１に記載の発明では、燃料タンクに形成された開口部に向けて挿入され、燃料タンクに支持されるブラケットであって、挿入方向に沿って開口部の周縁に嵌合し、燃料タンクに組み付けられるブラケット支持部をさらに備えることを特徴とする。この発明によれば、燃料タンクに形成された開口部に向けて挿入されることで、ブラケットは、当該開口部の周縁にブラケット支持部を嵌合させる。開口部への挿入動作のみでブラケットの燃料タンクへの取り付けがなされるので、作業の容易性が獲得される。したがって、ポンプユニットへの組み付けとともに燃料タンクへの組み付けも容易なブラケットの提供が実現される。
【００１９】
請求項１２に記載の発明は、上述したブラケットと、電動機によって駆動され燃料を汲み上げる燃料ポンプ、及び電動機の回転径方向外側へ突出する突出部を有するポンプユニットと、燃料ポンプの汲上燃料を貯留する燃料タンクと、を備える燃料供給装置の発明である。
【図面の簡単な説明】
【００２０】
【図１】本発明の一実施形態による燃料供給装置の基本構成を示す図である。
【図２】本発明の一実施形態によるブラケットの構成を示す斜視図である。
【図３】本発明の一実施形態によるブラケットの要部を拡大した図であって、図２のＩＩＩ‐ＩＩＩ線断面図である。
【図４】本発明の一実施形態によるブラケットの要部の正面図であって、図２のＩＶ矢視図である。
【図５】ブラケットをポンプユニットに取り付ける作業を示す図であって、（ａ−１）〜（ｄ−１）ブラケット全体の様子を示す図であり、（ａ−２）〜（ｄ−２）要部の周囲の様子を示す拡大図である。
【図６】ポンプユニットに組み付けられたブラケットの腰部を拡大した図である。
【図７】ポンプユニット及びサブタンクに組み付けられたブラケットを説明するための図である。
【発明を実施するための形態】
【００２１】
以下、本発明の一実施形態を図面に基づいて説明する。
【００２２】
図１は、本発明の一実施形態による燃料供給装置１０を示している。燃料供給装置１０は、内燃機関等とともに車両に搭載され、当該機関で燃焼させる燃料を貯留する燃料タンク１３内に設置されていて、当該タンク１３内の燃料を当該機関に供給する。尚、便宜的に図１における上下方向を燃料供給装置１０の上下方向とし、当該上下方向は重力方向に沿うものとする。
【００２３】
燃料供給装置１０は、フランジ２０、サブタンク３０、ポンプユニット４０、及びブラケット１００等から構成されている。
【００２４】
フランジ２０は、樹脂材料等によって円盤状に形成され、燃料タンク１３の天井部１３ａに開口された開口部１３ｃを塞ぐ蓋体である。このフランジ２０の上部には、径方向外側に環状に突出する鍔部が設けられており、天井部１３ａの外側の面と液密に密着されている。加えてフランジ２０には、燃料吐出管２１及び給電ソケット２２が形成されるとともに、給電配線２３並びにガイドシャフト２４ａ及びスプリング２４ｂ等が組み付けられている。
【００２５】
燃料吐出管２１及び給電ソケット２２は、フランジ２０の成型時に一体的に形成されている。燃料吐出管２１は配管ホース（図示しない）によってポンプユニット４０と接続されており、当該ポンプユニット４０から汲み上げられた燃料を内燃機関へ向けて吐き出す。給電ソケット２２は、給電配線２３を介してポンプユニット４０側と接続されている。この給電ソケット２２に外部の給電プラグ（図示しない）が接続されることにより、ポンプユニット４０側に電力が供給される。
【００２６】
ガイドシャフト２４ａは、金属材料よりなる円柱状の部材であって、基端がフランジ２０に取り付けられることで、先端が下側に向けて突出している。ガイドシャフト２４ａは、フランジ２０の周方向に等間隔で二箇所に配置されており、径方向に対向している。このガイドシャフト２４ａには、サブタンク３０が上下方向に摺動自在に取付けられている。またスプリング２４ｂは、金属の線材を螺旋状に巻設してなるコイルスプリングであって、フランジ２０及びサブタンク３０間に圧縮された状態で、ガイドシャフト２４ａの径方向外側に同軸に配置されている。これらガイドシャフト２４ａ及びスプリング２４ｂの協働によれば、サブタンク３０はフランジ２０に対して下側に押し付けられて、燃料タンク１３の底部１３ｂに固定される。
【００２７】
サブタンク３０は、樹脂材料等によって有底円筒状に形成され、上側に開口する開口部３７、底壁部３１及び側壁部３３を有している。このサブタンク３０は、水平方向の加速度が作用した場合であっても、ポンプユニット４０周囲に燃料を貯留しておくための容器である。サブタンク３０の底壁部３１並び側壁部３３には、連通孔（図示しない）並びにシャフト支持部３４及びブラケット嵌合部３６が形成されている。このブラケット嵌合部３６は、側壁部３３の開口部３７周縁に位置している。
【００２８】
連通孔は、サブタンク３０の内外を連通する孔部であって、燃料を通過させることができる。ブラケット嵌合部３６（図３参照）は、側壁部３３の上端に、サブタンク３０の周方向に等間隔で三つ形成されている。これらのブラケット嵌合部３６は、下側から上側に向けてブラケット１００を支持する。シャフト支持部３４は、側壁部３３の外側且つ上下方向の中央付近に形成されており、ガイドシャフト２４ａを上下方向に貫通させることで、当該ガイドシャフト２４ａに対して摺動自在である。加えてシャフト支持部３４の上面には、スプリング２４ｂの下側が着座している。以上によれば、シャフト支持部３４を介して作用するスプリング２４ｂの付勢力によって、サブタンク３０は底部１３ｂに固定される。
【００２９】
ポンプユニット４０は、燃料ポンプ４１、燃料フィルタ４４、プレッシャレギュレータ４６、ポンプハウジング５０、及びサクションフィルタ４８等によって構成され、サブタンク３０内に貯留されている燃料を汲み上げる。
【００３０】
燃料ポンプ４１は、全体として円柱状を呈しており、下面にサブタンク３０内に貯留された燃料を吸い込むための吸込口４２を有している。この燃料ポンプ４１には、電動モータ４３及びインペラ（図示しない）等が内蔵されている。電動モータ４３は、給電ソケット２２及び給電配線２３を介して供給される電力によって駆動されるロータ（図示しない）と一体的に構成された駆動軸４３ａを具備している。インペラは、複数の羽根部を具備する羽根車であって、電動モータ４３の駆動軸４３ａに組み付けられて当該駆動軸４３ａと一体で回転する。これらインペラ及び電動モータ４３は、吸込口４２の上方にこの順で配置されている。以上の構造によれば、電動モータ４３の駆動軸４３ａの駆動により回転するインペラによって、燃料は吸込口４２から燃料ポンプ４１内部に吸い込まれ、上方へ汲み上げられた後、燃料フィルタ４４へ向って圧送される。そして本実施形態では、電動モータ４３の駆動軸４３ａの軸方向は、ポンプユニットの軸方向、及び燃料供給装置１０の上下方向に一致している。故に、電動モータ４３が駆動軸４３ａを駆動した場合、ポンプユニット４０には電動モータ４３の駆動軸周りの動バランスの不均衡に起因した径方向の振動が生じる。尚、駆動軸４３ａの径方向を回転径方向、駆動軸４３ａの周方向を回転周方向とする。
【００３１】
燃料フィルタ４４は、円筒状に形成されて、燃料ポンプ４１の外周側に当該燃料ポンプ４１と同軸に配置されている。この燃料フィルタ４４は、燃料ポンプ４１によって圧送された燃料を濾過する濾器であって、当該燃料に含まれる異物を除去する。
【００３２】
プレッシャレギュレータ４６は、燃料ポンプ４１下側の側方に配置されており、燃料フィルタ４４の下流側且つ燃料吐出管２１の上流側に位置している。このプレッシャレギュレータ４６は、燃料フィルタ４４を通過した燃料の圧力を調整する構成であって、当該圧力が所定の圧力を上回ると、ドレインポート（図示しない）を通じてサブタンク３０内に当該燃料の余剰分を排出する。この圧力調整機能によれば、圧力の調整された燃料が燃料吐出管２１から吐き出される。
【００３３】
ポンプハウジング５０は、樹脂材料等によって二段円筒状に形成されており、内部に燃料ポンプ４１及び燃料フィルタ４４を収容して、これら要素４１，４４を保持している。ポンプハウジング５０上側は、下側に対して回転径方向外側に突出しており、下側よりも外径の大きい大径部５１である。ポンプハウジング５０の下側は、大径部５１よりも外径の小さい小径部５３である。これら大径部５１及び小径部５３間には、段差部５５が形成されている。この段差部５５には、電動モータ４３の駆動軸４３ａの回転径方向に沿う円環状の平面であって、ブラケット１００に支持される被支持面５５ａが形成されている。また大径部５１の上面の外縁であって、当該上面と外周面との間には、上側に向うに従い回転径方向内側に傾斜するよう面取りが施された面取部５１ａが形成されている。加えてこの大径部５１の外周面には、回転径方向外側に突出する嵌合凸部５１ｂが、上下方向に沿って形成されている（図３参照）。さらに、小径部５３の側方にはプレッシャレギュレータ４６を収容するレギュレータ収容部５３ａが設けられている。
【００３４】
サクションフィルタ４８は、例えばポリエステル、ナイロン、又はポリアセタール等の樹脂製の繊維からなる不織布を用いて形成されている。このサクションフィルタ４８は、ポンプハウジング５０の下側に取付けられて、吸込口４２に吸い込まれる燃料を濾過する濾器であって、燃料中の異物を除去する。
【００３５】
次に、本発明の特徴部分であるブラケット１００について、図２〜図４に基づいて詳細に説明する。このブラケット１００は、サブタンク３０に支持される部材であって、電動モータ４３の駆動軸４３ａ（図１参照）に沿う組付方向に押し込まれることとでポンプユニット４０に組み付けられるポンプユニット用ブラケットである。
【００３６】
まず、ブラケット１００の構成及び各部の形状について説明する。尚、図２〜４は、ポンプユニット４０から離脱した状態のブラケット１００を示している。
【００３７】
このブラケット１００は、例えばポリアセタール等の樹脂材料によって形成され、本体部６６、回転規制部６７、ブラケット支持部６１、ポンプユニット付勢部６３、及びポンプユニット支持部７０を備えている。
【００３８】
本体部６６は、電動モータ４３の駆動軸４３ａの回転周方向に伸延する円環状の部位である。この本体部６６は、駆動軸４３ａの回転周方向に環状に形成され、ポンプユニット４０の回転周方向にそれぞれ三つずつ配置される全てのポンプユニット支持部７０、ブラケット支持部６１及びポンプユニット付勢部６３を回転周方向に連結している。この本体部６６は、円筒状であって、その内周径がポンプハウジング５０の大径部５１（図１参照）の外縁の径よりも僅かに大きい。また本体部６６を構成する円筒状の一部には、回転径方向外側に部材を湾曲させることで、回転規制部６７が形成されている。この回転規制部６７は、ポンプハウジング５０に設けられた嵌合凸部５１ｂにブラケット１００の組付方向に沿って嵌合し、ブラケット１００に対するポンプユニット４０の回転周方向への相対回転を規制する（図７参照）。
【００３９】
ブラケット支持部６１は、本体部６６の回転周方向に、実質的に等間隔で三箇所設けられており、ブラケット嵌合部３６に対応した配置となっている。ブラケット支持部６１は、本体部６６から当該本体部６６の外周側に向って突出しており、サブタンク３０の開口部３７にポンプユニット４０を挿入する挿入方向に沿って、当該開口部３７の周縁に設けられてブラケット嵌合部３６に嵌合し、サブタンク３０に支持される（図７参照）。
【００４０】
ポンプユニット付勢部６３は、ブラケット支持部６１とともにポンプユニット４０を教示する挟持部であって、本体部６６の回転周方向に実質的に等間隔で三つ設けられている。ポンプユニット付勢部６３は、帯状に形成されており、本体部６６から上側に一旦突出した後、本体部６６の内周側に屈曲している。加えてポンプユニット付勢部６３の屈曲する箇所から先端までの間は、下側に凸となるよう湾曲している。ブラケット１００のポンプユニット４０への組み付けによって、ポンプユニット付勢部６３は、湾曲の先端をポンプハウジング５０の上面に線接触させ、ポンプユニット４０を組付方向である下側へ向けて付勢する。
【００４１】
ポンプユニット支持部７０は、本体部６６の回転周方向に、実質的に等間隔で三箇所位置しており、ポンプユニット４０を下側から支持する構成である。各ポンプユニット支持部７０は、保持部７１、受け部７３、後端部７４、及び前端部７５をそれぞれ有している。保持部７１は、本体部６６から下側に上下方向に沿って帯状に延伸しており、本体部６６によって保持されている。この保持部７１は、中間付近で本体部６６の内周側に屈曲しており、組付方向に向うほど本体部６６の内周側に傾斜している。加えて保持部７１は、回転周方向において受け部７３に隣接して設けられており、本体部６６に対して受け部７３を接続し、本体部６６に対する受け部７３の相対変位を回転径方向において弾性変形により許容している。ポンプユニット４０からのブラケット１００の離脱によってこの保持部７１は、受け部７３の姿勢を組付方向とは反対側へ向うほど本体部６６の内周側に傾斜する姿勢に復元させる。
【００４２】
受け部７３は、回転径方向において、それぞれのばね定数が互いに実質的に同一であって、回転周方向において実質的に等間隔で位置する組付方向の後端部７４により大径部５１の段差部５５を受ける。受け部７３は、ポンプユニット４０からのブラケット１００の離脱により本体部６６の内周側へ傾斜する姿勢となる傾斜部７３ａを有している。この傾斜部７３ａは、受け部７３に上下方向に沿って形成されるリブであって、ポンプユニット４０の支持に要する上下方向の曲げ剛性を当該受け部７３に付与している。この傾斜部７３ａは、組付方向とは反対側にて後端部７４と接続され、組付方向における前端部７５において受け部７３の一部として隣接する保持部７１と接続されている。加えて、後端部７４にはポンプユニット４０の段差部５５の被支持面５５ａ（図６参照）と面接触する接触面７４ａが形成されている。また、前端部７５は、後述する組み付け作業において、大径部５１上方の外縁の面取部５１ａと組付方向に対向することとなる。
【００４３】
以上説明した構成のブラケット１００を作業者が把持し、ポンプユニット４０の駆動軸４３ａに沿う組付方向に押し込むことで、当該ブラケット１００を当該ポンプユニット４０に組み付ける作業について、図５（ａ−１）〜（ｄ−１）及び（ａ−２）〜（ｄ−２）に基づいて詳細に説明する。尚、図５（ａ−２）〜（ｄ−２）は、図５（ａ−１）〜（ｄ−１）の作業段階におけるポンプユニット支持部７０の周囲を拡大した図である。また、ブラケット１００をポンプユニット４０に組み付ける組付方向は、燃料供給装置１０の上方から下方に向う方向である。
【００４４】
作業者がブラケット１００を把持して、組付方向に沿って押し込む作業を開始すると、ブラケット１００の前端部７５と、大径部５１の面取部５１ａとが接触状態となる（図５（ａ−１）及び（ａ−２））。本体部６６に対して受け部７３を接続する保持部７１は、本体部６６に対する受け部７３の相対変位を、回転径方向において弾性変形により許容する。故に、受け部７３の前端部７５と大径部５１の面取部５１ａとの接触状態から組付方向への組み付けが継続されるときに、受け部７３は、傾斜部７３ａを介して大径部５１により回転径方向外側へと押し広げられつつ嵌められる（図５（ｂ−１）及び（ｂ−２））。加えて、傾斜部７３ａを含む受け部７３とともに回転径方向外側へ弾性変形する保持部７１によって、受け部７３は回転径方向外側に容易に変位することができる。ここで、上述した作業において、回転径方向のばね定数が互いに同一であって、本体部６６の回転周方向の三箇所に実質的に等間隔で位置するポンプユニット支持部７０の構成によって、ポンプユニット４０に対する本体部６６の回転径方向の位置決めが正確に行われる。
【００４５】
さらに組み付け作業が継続されると、先ず前端部７５が段差部５５を乗り越えることで、保持部７１が回転径方向内側に復元される（図５（ｃ−１）及び（ｃ−２））。尚、以上の作業までに、大径部５１の嵌合凸部５１ｂと、本体部６６の回転規制部６７との回転周方向の位置を合わせておくことが望ましい。さらに組付け作業が継続されて、受け部７３は、大径部５１の段差部５５を乗り越えると、保持部７１の作用により、回転径方向内側へと復元されて、後端部７４により段差部５５を受けることとなる。また、回転規制部６７は嵌合凸部５１ｂに嵌合する。さらに、ポンプユニット付勢部６３は、ポンプユニット４０の上面に接触する（図５（ｄ−１）及び（ｄ−２））。
【００４６】
そして、作業者は、以上の作業による結果物としての一体要素４０，１００を把持し、サブタンク３０に形成された開口部３７を通過する挿入方向に沿って挿入し、押し込む動作を実施することで、ブラケット嵌合部３６にブラケット支持部６１が嵌合する（図７参照）。以上の工程を経て、サブタンク３０にポンプユニット４０を支持させる作業は終了する。このように、作業者の単純な動作のみでポンプユニット４０への組み付け作業と、サブタンク３０への組み付け作業とを完了できるので、組み付け容易なブラケット１００とすることができる。
【００４７】
以上の組付け作業後におけるブラケット１００のサブタンク３０による支持状態について、以下図６及び図７に基づいて説明する。
【００４８】
ブラケット１００は、ポンプユニット支持部７０の受け部７３を回転径方向外側に相対変位させたまま、即ち、保持部７１を弾性変形させたままで、ポンプユニット４０に組み付いている。具体的には、受け部７３は、組付方向とは反対側へ向かうほど本体部６６の外周側へ傾斜する姿勢となっている。これにより、ブラケット１００がポンプユニット４０から離脱した状態で本体部６６の内周側に傾斜していた傾斜部７３ａは、ポンプユニット４０の小径部５３の外周壁と実質的に平行な状態となり、当該外周壁と僅かな隙間をあけて離間している。加えて、受け部７３は、後端部７４の接触面７４ａを段差部５５の被支持面５５ａと、回転径方向に沿って面接触させている。以上の接触状態によって、組付方向とは反対側へ向かうほど本体部６６の外周側へ傾斜する姿勢になる受け部７３は、保持部７１の作用によって、後端部７４で大径部５１を組み付け方向とは反対側である上側の斜め内周側へ向って付勢している。この付勢力に組付方向とは反対側に向う成分が含まれることで、受け部７３は保持部７１を予め弾性変形させたままでポンプユニット付勢部６３とともに大径部５１を挟持することができる。加えて、このポンプユニット付勢部６３がポンプユニット４０を組付方向に付勢していることにより、大径部５１は受け部７３及びポンプユニット付勢部６３によって確実に挟持される。さらに、ポンプユニットの大径部５１よりも僅かに内周径の大きい本体部６６は、当該大径部５１の外周壁から離間したまま、当該外周壁の回転径方向外側に位置している。
【００４９】
ここまで説明した本実施形態によれば、ポンプユニット４０に組み付けられたブラケット１００のサブタンク３０による支持状態下では、電動モータ４３の駆動軸４３ａに沿う方向において受け部７３がポンプユニット４０を受けることになる。故に、回転径方向に顕著となるポンプユニット４０の振動は、ブラケット１００に伝播し難くなる。それと共に、本体部６６に対する受け部７３の相対変位は、回転径方向において保持部７１の弾性変形により許容されるので、ポンプユニット４０の当該回転径方向の振動に対して減衰作用が発揮され得る。これらのことから、ポンプユニット４０の振動がブラケット１００を介してサブタンク３０へと伝播される事態を抑制できる。
【００５０】
加えて本実施形態によれば、傾斜部７３ａを含む受け部７３と接続される保持部７１が回転径方向外側へ当該受け部７３とともに弾性変形するので、ブラケット１００の嵌め易さに寄与し得る。また、受け部７３が大径部５１を乗り越えて後端部７４が大径部５１を受けようとするときには、保持部７１の復元作用によって傾斜部７３ａが本体部６６の内周側、即ち回転径方向内側に戻されることとなるので、組付方向とは反対側にて傾斜部７３ａに接続される後端部７４は確実に、段差部５５を受ける姿勢となり得る。
【００５１】
さらに、組み付け後におけるブラケット１００のサブタンク３０による支持状態下では、保持部７１の作用によって姿勢の復元した傾斜部７３ａと接続される後端部７４は、回転径方向に大きく振動したポンプユニットに対して接触可能となる。この接触時において受け部７３は、本体部６６に対する相対変位を保持部７１の弾性変形により許容されることになるので、ポンプユニット４０の大きな振動に対しても減衰作用を発揮し得る。
【００５２】
また本実施形態によれば、受け部７３は、燃料ポンプ４１の駆動による振動が生じていない状態で、保持部７１を予め弾性変形させてポンプユニット４０を受けている。この形態によって、回転径方向に大きく振動したポンプユニット４０が受け部７３の後端部７４と接触するときの保持部７１の弾性変形量を小さくでき、当該ポンプユニット４０の大きな振動を抑えることができる。加えて、ポンプユニット付勢部６３が、上方からポンプユニット４０を付勢することで、保持部７１を弾性変形させた状態を長期に亘って維持し得る。したがって、ポンプユニット４０の大きな振動を抑えることができる作用は、長期に亘って確実に発揮される。
【００５３】
さらに本実施形態によれば、受け部７３は、大径部５１の回転径方向に沿う被支持面５５ａに後端部７４の接触面７４ａを面接触させる構成により、ポンプユニット４０を受ける。この後端部７４と被支持面５５ａとの接触面の方向が回転径方向に沿っているので、後端部７４にはポンプユニット４０の回転径方向の振動が伝播され難くなる。加えて、ポンプユニット４０から本体部６６を離間させる形態とすることで、当該本体部６６にポンプユニット４０から直接的に振動が伝播しない構成とすることができる。
【００５４】
また加えて本実施形態によれば、回転規制部６７は、ポンプユニット４０に組付方向に沿って嵌合するので、当該ポンプユニット４０にブラケット１００を組み付ける作業の容易性は維持される。加えて、回転規制部６７がポンプユニット４０のブラケット１００に対する回転周方向への相対回転を規制することで、本体部６６に対する受け部７３の回転周方向への相対変位を抑制できる。故に、受け部７３の相対変位は回転径方向におけるものに制限されるので、当該受け部７３の相対変位を弾性変形により許容する保持部７１によって得られる減衰作用が確実に発揮される。
【００５５】
尚、本実施形態において、サブタンク３０が請求項に記載の「燃料タンク」に、開口部３７が請求項に記載の「開口部」に、電動モータ４３が請求項に記載の「電動機」に、駆動軸４３ａが請求項に記載の「回転軸」に、大径部５１が請求項に記載の「突出部」に、ポンプユニット付勢部６３が請求項に記載の「挟持部」及び「付勢部」に、保持部７１が請求項に記載の「弾性部」に、それぞれ相当する。
【００５６】
（他の実施形態）
以上、本発明による一実施形態について説明したが、本発明はこの実施形態に限定して解釈されるものではなく、その要旨を逸脱しない範囲内において種々の実施形態に適用することができる。
【００５７】
上記実施形態では、ブラケット１００は、ポンプユニット４０の上面と線接触し、当該上面を組付方向へ向けて付勢するポンプユニット付勢部６３を有していた。しかし、ポンプユニット４０からの振動が伝播し難い構成であれば、ポンプユニット付勢部の形状及びポンプユニット４０を付勢する形態は限定されない。また、請求項に記載の「付勢部」に相当する構成を備えないブラケットであってもよい。具体的には、ポンプユニット４０の自重や燃料ポンプ４１の燃料を組上げる力の反作用によって生じる力等を、付勢部による付勢力の代替として作用させる構成のブラケットであってもよい。
【００５８】
上記実施形態では、本体部６６には回転周方向に等間隔で三箇所、ポンプユニット支持部７０が位置していた。しかし、ポンプユニット支持部は、三箇所よりも多く設けられていてもよく、又三箇所よりも少なく設けられていてもよい。加えて、各ポンプユニット支持部は、本体部６６の回転周方向に等間隔で位置していなくてもよい。さらに、ブラケット支持部及びポンプユニット付勢部を配置する箇所及び配置する間隔も、ポンプ側支持部と同様に適宜設定されてよい。
【００５９】
上記実施形態では、受け部７３は、電動モータ４３が燃料ポンプ４１を駆動していない状態で、後端部７４を駆動軸４３ａの回転径方向外側に本体部６６に対して相対変位させ、ポンプユニット４０を受けていた。しかし、受け部７３は、電動モータ４３が燃料ポンプ４１を駆動していない状態で、保持部７１の作用により、組付方向とは反対側に向かうほど本体部６６の内周側に傾斜する姿勢、即ち、ブラケット１００がポンプユニット４０から離脱した際の姿勢に復元されていてもよい。また、傾斜部７３ａを形成する上下方向のリブ構造は、受け部７３が必要な剛性を獲得することができれば、省略されてもよい。
【００６０】
上記実施形態では、本体部６６は、ポンプユニット４０の大径部５１まわりに、電動モータ４３の回転周方向に延伸し、当該大径部５１とは離間する円筒状を呈していた。しかし、本体部は、ポンプユニット４０のまわりを全周に亘って囲む円筒状でなくてもよい。加えて、ポンプユニット４０からの振動が直接的に伝播しない構成であれば、本体部は、例えば緩衝材を介してポンプユニット４０と接触していてもよい。また、回転規制部は、本体部以外の箇所に位置していてもよく、又は、ブラケット１００に設けられてなくてもよい。
【００６１】
以上、燃料ポンプ４１及び燃料フィルタ４４等を組み合わせてなるポンプユニット４０を、当該ポンプユニット４０の周囲に燃料ポンプ４１の汲上燃料を貯留するサブタンク３０に取付けるためのブラケット１００に本発明を適用した例を説明した。しかし、ブラケットが組み付けられる構成は、上述したサブタンク３０に限定されるものではない。例えば燃料タンク１３の内壁にブラケットを組み付けるための組付部等を形成してもよい。このような構成とした場合、ブラケットは、ポンプユニット４０から燃料タンク１３に伝播する振動を低減することができる。さらに、ブラケット１００が支持する構成は、上述したポンプユニット４０に限定されるものではない。具体的には、振動の発生源である燃料ポンプ４１又は当該ポンプ４１に内蔵された電動モータを直接的に支持するブラケットに本発明を適用してもよい。
【符号の説明】
【００６２】
１０  燃料供給装置、１３  燃料タンク、１３ａ  天井部、１３ｂ  底部、１３ｃ  開口部、２０  フランジ、２１  燃料吐出管、２２  給電ソケット、２３  給電配線、２４ａ  ガイドシャフト、２４ｂ  スプリング、３０  サブタンク（燃料タンク）、３１  底壁部、３３  側壁部、３４  シャフト支持部、３６  ブラケット支持部、３７  開口部、４０  ポンプユニット、４１  燃料ポンプ、４２  吸込口、４３  電動モータ（電動機）、４３ａ  駆動軸（回転軸）、４４  燃料フィルタ、４６  プレッシャレギュレータ、４８  サクションフィルタ、５０  ポンプハウジング、５１  大径部（突出部）、５１ａ  面取部、５１ｂ  嵌合凸部、５３  小径部、５３ａ  レギュレータ収容部、５５  段差部、５５ａ  被支持面、６１  ブラケット支持部、６３  ポンプユニット付勢部（挟持部・付勢部）、６６  本体部、６７  回転規制部、７０  ポンプユニット支持部、７１  保持部（弾性部）、７３  受け部（弾性部）、７３ａ  傾斜部、７４  後端部、７４ａ  接触面、７５  前端部、１００  ブラケット
【図１】
2011052586.tif 000003
【図２】
2011052586.tif 000004
【図３】
2011052586.tif 000005
【図４】
2011052586.tif 000006
【図５】
2011052586.tif 000007
【図６】
2011052586.tif 000008
【図７】
2011052586.tif 000009